(57)【特許請求の範囲】
【請求項１】
シャワーヘッドの散水板の代わりに使用可能な散水機能付き浄水フィルタであって、濾剤と、この濾剤が収容されているフィルタケースと、このフィルタケースをシャワーヘッドに対して着脱可能に取り付けるための取り付け手段を有し、
前記フィルタケースは第１および第２の端面を備えており、
前記第１の端面には複数の散水孔が形成されており、
前記第２の端面にはシャワーヘッド側からの吐出水を前記濾剤に通すための通水孔が形成されており、
前記取り付け手段は、シャワーヘッドの散水板の代わりに着脱可能に取り付けられるフィルタ取り付けベースを有し、
このフィルタ取り付けベースは、複数の散水孔と、前記フィルタケースの前記２の端面側を着脱可能に取り付けるためのフィルタ取り付け部とが形成されている端面を備えていることを特徴とする散水機能付き浄水フィルタ。
【請求項２】
請求項１において、
前記濾剤は、亜硫酸カルシウム、粒状活性炭、コーラルサンド、繊維状活性炭、ＫＤＦ等のうちの少なくとも一つを含むことを特徴とする散水機能付き浄水フィルタ。
【発明の詳細な説明】
【０００１】
【発明の属する技術分野】
本発明は、シャワーヘッドを交換する必要なく、簡単に取り付けることが出来る散水機能付き浄水フィルタに関するものである。
【０００２】
【従来の技術】
従来のシャワー用浄水器は、使用しているシャワーヘッドと交換して、給水ホースに接続し使用される。従って、取り付けの煩雑さや、取り付けがうまくいかない場合のアダプターの採用等といった問題がある。また、大きなシャワー用浄水器を取り付けるので、シャワーヘッドにこのような浄水器を直列に接続した場合等には、シャワーヘッドが重くなり扱いにくくなる等の弊害もある。さらには、シャワー用浄水器の価格が高いという問題もある。
【０００３】
一方、従来において風呂湯を浄化するための大型の浄水器が若干販売されているが、サイズも大きく、蛇口の下に取り付ける為に、取り付け作業も大変であり、価格も高いとう問題がある。
【０００４】
本発明の課題は、この点に鑑みて、使用しているシャワーヘッドを交換する必要なく、しかも浄水フィルタの着脱を簡単に行うことができ、且つ、軽量で廉価に製造可能なシャワーヘッド用の散水機能付き浄水フィルタを提案することにある。
【０００５】
【課題を解決するための手段】
本発明者は、シャワーヘッドの散水面が、そこにねじ止め等によって取り付けられた散水板によって形成され、この散水板はねじを外すことにより簡単にシャワーヘッド本体側から取り外すことができる点に着目し、この散水板の代わりに、散水機能付き浄水フィルタをシャワーヘッドに取り付け可能とすることにより、上記課題を解決するに到った。
【０００６】
すなわち、本発明は、シャワーヘッドの散水板の代わりに使用可能な散水機能付き浄水フィルタであって、濾剤と、この濾剤が収容されているフィルタケースと、このフィルタケースをシャワーヘッドに対して着脱可能に取り付けるための取り付け手段を有している。また、前記フィルタケースは第１および第２の端面を備えており、前記第１の端面には複数の散水孔が形成されており、前記第２の端面にはシャワーヘッド側からの吐出水を前記濾剤に通すための通水孔が形成されていることを特徴としている。
【０００７】
本発明の浄水フィルタは、シャワーヘッドの散水板の代わりに取り付けて使用される。従って、使用しているシャワーヘッドを交換する必要なく、殆どの場合において、その取り付け、取り外しを簡単に行うことができ、アダプター等を別途用意しないと取り付けできないといった弊害も発生しない。
【０００９】
また、本発明の浄水フィルタは、上記構成に加えて、シャワーヘッドの散水板の代わりに着脱可能に取り付けられるフィルタ取り付けベースを用いており、このフィルタ取り付けベースの端面には、複数の散水孔と、前記フィルタケースの前記第２の端面側を着脱可能に取り付けるためのフィルタ取り付け部が形成される。
【００１０】
この場合、まず、このフィルタ取り付けベースをねじ止め方式で取り付け、このベースの上にワンタッチで簡単に着脱可能な散水機能付き浄水フィルタを取り付ける。このようなフィルタ取り付けベースを使用すると、フィルタが不要な場合には、当該ベースのみを取り付けておけば、通常の散水板として当該ベースが機能する。フィルタを使用したい場合には、当該ベースの端面にフィルタを取り付ければよい。さらに、フィルタとして、ベースへの取り付け部分が共通で、且つ、濾剤の収容量が異なるものを用意しておけば、必要に応じて、フィルタを取り替えて使用できる。
【００１１】
例えば、シャワー水で風呂釜を洗いたい場合にはフィルタは不要であるので、ベースのみを取り付けた状態でシャワーヘッドを使用すればよい。また、シャワーを浴びたい時には、濾剤の収容量の少ないフィルタをベースに取り付けて使用すればよい。さらに、シャワーヘッドを用いて風呂湯を溜める場合には、使用量が多いので、濾剤の収容量の多いフィルタを取り付けて使用すればよい。
【００１２】
次に、本発明のフィルタにおける濾剤としては、亜硫酸カルシウム、粒状活性炭、コーラルサンド、繊維状活性炭、ＫＤＦ等のうちの少なくとも一つを用いることができる。水道水の塩素除去のためには、亜硫酸カルシウムおよび粒状活性炭の双方を一緒に使用すればよい。
【００１３】
【発明の実施の形態】
以下に、図面を参照して本発明を適用した浄水フィルタの実施例を詳細に説明する。
【００１４】
図１（ａ）〜（ｄ）には、本発明による浄水フィルタの前提となるシャワー用浄水フィルタを示してある。この図に示すように、シャワー用浄水フィルタ１は、円形の輪郭形状をした偏平なフィルタケース２を備え、この中心には厚さ方向に貫通しているねじ孔３が形成されている。また、このフィルタケース２の前側端面（第１の端面）２ａには多数の細かな散水孔２ｂが形成されている。フィルタケース２の後側端面（第２の端面）２ｃには所定の大きさの通水孔２ｄが形成されている。これら前側端面２ａと後側端面２ｂの間は濾剤収容部とされており、ここに不織布等の通水性素材に充填された濾剤４が収納されている。
【００１５】
ここで、この構成の浄水フィルタ１は、シャワーヘッド１０の吐出口に取り付けられている散水板１１の代わりにシャワーヘッド１０に取り付け可能となっている。図１（ｅ）に示すように、散水板１１は、円形あるいは矩形の平板１２に多数の細かな散水孔１３を開けた構造となっており、その中心には、ねじ孔が形成され、ここに通した取り付け用ねじ１４によってシャワーヘッド１０の本体側に固定されている。
【００１６】
この取り付けねじ１４と径は同一であるが長目の取り付けねじ５がフィルタ取り付け用に使用される。
【００１７】
図２には、本発明による浄水フィルタの前提となる濾剤の収容量の多い風呂湯用浄水フィルタを示してある。このフィルタ２１も図１に示すフィルタ１と基本的に同様な構造とされており、円錐形あるいは円錐台形状をしたフィルタケース２２を備え、この中心には厚さ方向に貫通しているねじ孔２３が形成されている。また、このフィルタケース２２の前側の円錐面（第１の端面）２２ａには多数の細かな散水孔２２ｂが形成されている。フィルタケース２２の平坦な後側端面（第２の端面）２２ｃには所定の大きさの通水孔（図示せず）が形成されている。
【００１８】
これら前側端面２２ａと後側端面２２ｃの間は濾剤収容部とされており、ここに濾剤２４が充填されている。濾剤２４の量は上記のシャワー用浄水フィルタ１に比べて大きく、従って、浄水能力が高い。また、このフィルタ２１をシャワーヘッド１０に取り付けるための取り付けねじ２５の長さも、上記の取り付けねじ５よりも長いものを使用している。
【００１９】
一般に、風呂湯を貯める場合には１回平均で約２００リットルの水量を使用する。従って、一月間毎日使用するのであれば約６０００リットルの水量となる。よって、本例のフィルタ２１は、約６０００リットルの水を浄化可能な容量の濾剤が充填されている。例えば、一月毎に風呂湯を浄化するためのフィルタを取り替えるものとすると、６０００リットル分の水の浄化能力が必要になるので、その分の濾剤をフィルタ２１に充填しておけばよい。
【００２０】
従来において風呂湯を浄化するための大型の浄水器が若干販売されているが、サイズも大きく、蛇口の下に取り付ける為に、取り付け作業も大変であり、価格も高い。これに対して、図２に示すフィルタ２１は、シャワーヘッドの散水板の代わりに使用しているので、取り付けも簡単であり、廉価に製造できる。
【００２１】
次に、シャワーヘッドからのシャワーを用いて風呂釜を洗いたい場合には、上記のフィルタ１、２１が付いていると、特に浄水の必要がないにもかかわらず浄水が行われてしまい、フィルタの交換時期が早まってしまい、経済的でない。
【００２２】
上記構成のフィルタ１、２１では、シャワーヘッド１０に対してねじ止めしているので、多少なりともフィルタ取り外しに不便さが伴う。現行のシャワー用浄水器の場合も、シャワー用浄水器そのものを普通のシャワーヘッドに交換しなくてはならない不便さがある。そこで、これらのフィルタ１、２１を簡単にシャワーヘッド１０に対して着脱できるようにすることが望ましい。
【００２３】
図３には、本発明による散水機能付き浄水フィルタの構成例を示してある。この図に示す散水機能付き浄水フィルタ４０、５０は、それぞれ、上記構成の散水機能付きフィルタ１、２１と同様な構成を備えていると共に、これらフィルタ４０、５０を簡単にシャワーヘッド１０に着脱できるフィルタ取り付け機構が備わっている。
【００２４】
図において、３１はフィルタ取り付け用ベースであり、このベース３１はシャワーヘッド１０の散水板１１の代わりに当該シャワーヘッド１０にねじ止め可能となっている。このベース３１の前側端面には多数の細かな散水孔３２が形成されており、この散水孔３２を取り囲む外周部分には、フィルタ４０、５０をワンタッチで着脱可能な係合部３３が形成されている。
【００２５】
係合部３３の構造としては従来から知られている各種のワンタッチ式の着脱可能な取り付け機構を採用することができる。例えば、係合部３３として円形内周面の先端縁にフックを形成しておき、フィルタ４０、５０の外周面にはこのフックに係合可能な突起を形成しておき、フィルタ４０、５０の装着時には、ベース側のフックを強制的に弾性変形させて、フィルタ４０、５０を押し込むことにより装着状態を形成する抗し得を採用である。あるいは、ベース側の円形内周面に雌ねじを形成し、フィルタ４０、５０の外周面に雄ねじを形成して、ねじ込み固定できるようにしてもよい。
【００２６】
一方、上記の各フィルタ４０、５０の濾剤としては、粒状の亜硫酸カルシウム、コーラルサンド、粒状活性炭、繊維状活性炭、ＫＤＦ等を用いて、残留塩素の除去および不純物の除去を行うことができる。基本的には、亜硫酸カルシウムと粒状活性炭の２種類の濾剤で塩素除去を行うことができる。勿論、これらを組み合わせて使用してもよい。
【００２７】
なお、上記の図３に示す例では、２種類のフィルタ４０、５０を用意しているが、３種類以上のフィルタを用意し、それらにおけるベース取り付け部分を共通の構造としておけば、３種類以上のフィルタの着脱を簡単に行うことが可能になる。
【００２８】
【発明の効果】
以上説明したように、本発明の浄水フィルタは散水孔を備えているので、一般的に使用されているシャワーヘッドの散水板の代わりに取り付けて使用することができる。よって、従来のように浄水器を接続する場合に比べて、取り付け・取り外し作業が簡単になり、また、浄水フィルタが取り付けられたシャワーヘッドを軽量化できる。さらには、浄水フィルタを安価に製造できる。
【００２９】
また、本発明では、複数のフィルタを用意し、これを、散水板として機能する共通の取り付け用ベースを用いてシャワーヘッドにワンタッチで着脱可能としてある。従って、水の浄化が必要な場合には簡単にフィルタを取り付けることができ、それが不要な場合にはフィルタを取り外せば、一般的なシャワーヘッドとして用いることができるので、極めて便利である。
【００３０】
さらには、本発明の散水機能付き浄水フィルタは、散水板の孔のサイズや個数を調整することによって、低水圧対応にもなっている。
【図面の簡単な説明】
【図１】本発明の前提となる浄水フィルタを示す正面図、側面図、背面図、断面図、およびシャワーヘッドへの取り付け作業を示すための説明図である。
【図２】本発明の前提となる風呂湯フィルタを示す説明図である。
【図３】本発明による取り付けベースを用いた浄水フィルタの作用を示すための説明図である。
【符号の説明】
１、２１、４０、５０    フィルタ
２、２２    フィルタケース
２ａ、２２ａ    前面（第１の端面）
２ｂ、２２ｂ    散水孔
２ｃ、２２ｃ    裏面（第２の端面）
２ｄ    通水孔
４、２４    濾剤
３    ねじ孔
５、２５    止めねじ
１０    シャワーヘッド
１１    散水板
３１    取り付け用ベース
３２    散水孔
３３    係合部
【図１】
0003557126.tif 000002
【図２】
0003557126.tif 000003
【図３】
0003557126.tif 000004